(57)【要約】【課題】  圧着はがきにおいて、目の不自由な人にもはがきの内容を知ることのできるものの提供。【解決手段】  長尺矩形紙６の表紙領域３と第１領域４との境に山折り線１が設けられ、第１領域４と第２領域５との境に谷折り線２が設けられたものにおいて、山折り線１上に孔８を穿設し、山折り線１を折り返して、そこに欠切部を形成し、欠切部に隣接した位置に二次元コード９を設ける。【選択図】        図２
2007038466.tif 000002
【特許請求の範囲】
【請求項１】
長手方向に三つの領域である表紙領域(3) と第１領域(4) と第２領域(5) とを順に有し、表紙領域(3) と第１領域(4) との境に山折り線(1) が設けられ、第１領域(4) と第２領域(5) との境に谷折り線(2) が設けられる長尺矩形紙(6) を、前記夫々の境でつづら折りにすると共に、平面方向に互いに圧着し、接合してなる圧着はがき(7) において、
前記第２領域(5) の幅を前記第１領域(4) および表紙領域(3) の幅より僅かに大として、前記圧着されたとき、前記山折り線(1) が前記第２領域(5) 内に位置し、
前記山折り線(1) の上には、その山折り線(1) が中央を横断するように、孔(8) が穿設され、前記圧着状態ではその孔(8)の中央 で折り曲げられて半孔となる欠切部(8a)が構成され、
その欠切部(8a)に隣接した前記表紙領域(3) および／または第１領域(4) に、目の不自由な人用の二次元コード(9) が設けられたことを特徴とする圧着はがき。
【請求項２】
請求項１において、
前記孔(8) が円形孔または楕円孔あるいは方形孔等の多角形孔であり、それらが一以上穿設された圧着はがき。
【発明の詳細な説明】
【技術分野】
【０００１】
本発明は圧着はがきに目の不自由な人用の二次元コードを付し、そのコードの位置を指示することができるものに関する。
【背景技術】
【０００２】
圧着はがきは、細長い矩形紙の表面に予め糊材が付着され、それを三つ折りにして圧着し、外形をはがきサイズに形成したものである。このような圧着はがきはそれを開いて、通信文を読むことができるものである。この圧着はがきにおいて、目の不自由な人にもはがきの内容を知らせることができれば、それは好ましいことである。
【０００３】
目の不自由な人に印刷物の内容を知らせる方法として、二次元コード（商標：SPコード）を印刷物の隅に印刷し、それを読み取り及び音声発生装置に読み取らせて、言葉として発音させる装置が既に知られている。（例えば、商品名「商標：スピーチオ」）
【発明の開示】
【発明が解決しようとする課題】
【０００４】
目の不自由な人に読み聞かせることができる対象物は、専用の紙の隅部に二次元コードを表示したものであるが、圧着はがきにその目的の二次元コードが付されたものは存在しない。即ち、郵便物として一般の人にもその内容を文字で知らせることができるとともに、目の不自由な人にはそれを二次元コードで読み聞かせることができる圧着はがきは従来存在しなかった。
そこで本発明は、上記の問題点を解決することを課題とする。
【課題を解決するための手段】
【０００５】
請求項１に記載の本発明は、長手方向に三つの領域である表紙領域(3) と第１領域(4) と第２領域(5) とを順に有し、表紙領域(3) と第１領域(4) との境に山折り線(1) が設けられ、第１領域(4) と第２領域(5) との境に谷折り線(2) が設けられる長尺矩形紙(6) を、前記夫々の境でつづら折りにすると共に、平面方向に互いに圧着し、接合してなる圧着はがき(7) において、
前記第２領域(5) の幅を前記第１領域(4) および表紙領域(3) の幅より僅かに大として、前記圧着されたとき、前記山折り線(1) が前記第２領域(5) 内に位置し、
前記山折り線(1) の上には、その山折り線(1) が中央を横断するように、孔(8) が穿設され、前記圧着状態ではその孔(8)の中央 で折り曲げられて半孔となる欠切部(8a)が構成され、
その欠切部(8a)に隣接した前記表紙領域(3) および／または第１領域(4) に、目の不自由な人用の二次元コード(9) が設けられたことを特徴とする圧着はがきである。
【０００６】
請求項２に記載の本発明は、請求項１において、
前記孔(8) が円形孔または楕円孔あるいは方形孔等の多角形孔であり、それらが一以上穿設された圧着はがきである。
【発明の効果】
【０００７】
本発明の圧着はがきは、圧着状態で２枚重ねとなった山折り線１の縁がはがきの縁から僅かに内側に位置し、そこに欠切部8aが形成されたものであるから、はがきの外周を変えることなく、目の不自由な人に二次元コード９の位置を知らせることができる。
即ち、山折り線１上に孔８が穿設され、それが折り曲げられて欠切部8aを構成し、その欠切部8aに隣接した表紙領域３および/または第１領域４に目の不自由な人用の二次元コード９が設けられているから、手探りでその二次元コード９の位置を知ることができる。
そこで、その二次元コード９を二次元コード発音装置11に取り付けることにより、それを読み取るとともに、言葉として発音させ、はがきの内容を目の不自由な人に容易に伝えることができる。
【０００８】
また、欠切部8aははがきの外周の内側に存在するが、折返し部にあるため二枚分の厚みがあり、そこを手さぐりで容易に触手して見つけることができる。さらに、欠切部8aは孔８の中央を折り返した半孔から形成されるため、欠切部8aの位置および形状を正確に形成できる。
また、第１領域４にも欠切部8aに隣接して二次元コード10が形成されている場合には、欠切部8aを基準として他の二次元コード10の読み取りも可能である。即ち、第２領域５の縁を保持し、山折り線１を開くことにより他の二次元コード10を露出させ、それを二次元コード発音装置11に読み取らせることができる。
【発明を実施するための最良の形態】
【０００９】
次に図面に基づいて、本発明の実施の形態につき説明する。
図１は本発明の圧着はがき製作用の長尺矩形紙６の正面図であり、図２はその製造工程を示す説明図、図３は本発明の圧着はがき７の斜視図である。
また、図４は本発明の圧着はがきの二次元コード９を二次元コード発音装置11に取り付けて、その内容を読み取り、言葉として発音させる説明図である。
さらに、図５は圧着はがきを開いた第１領域４の面の二次元コード10を二次元コード発音装置11に読み取って聞かせる場合の説明図である。
【００１０】
本発明の圧着はがきは、図１に示す長尺矩形紙６から形成され、その長さは通常のはがきサイズの３倍より僅かに短い。長尺矩形紙６に表紙領域３と第１領域４と第２領域５とが順に設けられ、それぞれの境に山折り線１と谷折り線２とが形成されている。第２領域５の幅は、表紙領域３および第１領域４の幅より僅かに大きい。第１領域４と表紙領域５の幅は同一である。
【００１１】
そして、山折り線１の下端寄りに、山折り線１が直径線となるように、この例では円形の孔８が穿設されている。なお、孔８は楕円孔あるいは三角形、四角形等の多角形孔とすることもできる。この例では１つの孔８を設けたが、僅かに離間して孔８を２つ以上設けてもよい。そして、孔８に隣接した表紙領域３に二次元コード９が印刷される。この二次元コード９は長尺矩形紙６の第１領域４および第２領域５に印刷される文字を二次元平面的にコード化したものである。そして、この二次元コード９を後述する図４の二次元コード発音装置11に掛けることにより、それを読み取り、言葉として発音することができるものである。
【００１２】
なお、この例では表紙領域３のみに二次元コード９を表示したが、孔８に隣接し、第１領域４上にも二次元コード10を表示することもできる。さらには、孔８を山折り線１の上部側にも設け、あるいは孔を設けずに、表紙領域３および/または第１領域４上に同様の二次元コードを印刷してもよい。また、長尺矩形紙６の表紙領域３には宛名が、第１領域４および第２領域５には文章が通常の圧着はがき同様に印刷される。それらの裏面側には通常印刷されない。
この長尺矩形紙６表面には印刷後に糊材が塗布される。その塗布方法および塗布面は公知の各種のものを利用できる。例えば、前記の糊材の塗布の代わりに、平面状態で印刷いた後に、糊用フィルムを貼着することもできる。
【００１３】
ついで図２に示す如く表紙領域３と第１領域４と第２領域５とを山折り線１および谷折り線２でつづら折に折り曲げつつ、図示しない圧着機械にかけることにより、図３の如く圧着はがき７を形成する。このとき孔８は半分に折り曲げられて半円の欠切部8aを形成する。この欠切部8aは、２重になっているため、目の不自由な人が触っても容易にその位置を確認することができる。
【００１４】
そこで、目の不自由な人は、図４に示す如く欠切部8aを基準と表紙領域３を開き、その状態で欠切部8aに隣接した二次元コード９の部分を二次元コード発音装置に読み取り、言葉として発音させることができる。なお、予め二次元コードの位置を縁側に僅かに移動して印刷すれば、圧着はがきを開くことなく、そのまま二次元コード発音装置11のスリット12に圧着はがき７を挿入し、発音させることもできる。この二次元コード発音装置11は、公知のものであり、二次元コード９をそのまま読み取り、発音化するものである。
さらには、図５の如く圧着はがきを開いた状態で、第１領域４側の二次元コード10を二次元コード発音装置11によって読み取ることも可能である。
【図面の簡単な説明】
【００１５】
【図１】本発明の圧着はがきを作るための長尺矩形紙６の正面図。
【図２】同圧着はがきの製造工程を説明する説明図。
【図３】同圧着はがき
【図４】同圧着はがきの表紙領域３の二次元コード９を公知の二次元コード発音装置11で読み取り、それを言葉として発音させる説明図。
【図５】同圧着はがきの第１領域４の二次元コード10を二次元コード発音装置11で読み取り、発音させる説明図。
【符号の説明】
【００１６】
１  山折り線
２  谷折り線
３  表紙領域
４  第１領域
５  第２領域
６  長尺矩形紙
【００１７】
７  圧着はがき
８  孔
8a  欠切部
９  二次元コード
10  二次元コード
11  二次元コード発音装置
12  スリット
【図１】
2007038466.tif 000003
【図２】
2007038466.tif 000004
【図３】
2007038466.tif 000005
【図４】
2007038466.tif 000006
【図５】
2007038466.tif 000007